(57)【特許請求の範囲】
【請求項１】
洗い場排水の受入口を上部に有すると共に、浴槽排水を略接線方向に受け入れてトラップ内で旋回流を形成させる浴槽排水導入口を有する排水トラップを備えた浴室排水装置において、
該排水トラップへの浴槽排水の導入流路と排水トラップからの排出流路とを、該排水トラップを迂回して連通するバイパス流路が設けられ、
該バイパス流路に臭気逆流防止手段が設けられており、
該導入流路は、浴槽の排水口と該排水トラップの該浴槽排水導入口とを連通するものであり、
該バイパス流路の一端側は、該導入流路から分岐する分岐部となっており、該バイパス流路の他端側は、該排出流路に合流する合流部となっており、
該合流部は、該分岐部よりも高い位置に配置されており、
該バイパス流路のうち該合流部よりも該分岐部側に、該合流部側ほど高位となる立上り部が設けられており、
これにより、該バイパス流路内に、浴槽排水が残留して封水となる第２の排水トラップが形成されており、
該第２の排水トラップにより前記臭気逆流防止手段が構成されていることを特徴とする浴室排水装置。
【請求項２】
請求項１において、前記排水トラップに、前記浴槽排水導入口が、周方向に位置を異ならせて、複数個設けられていることを特徴とする浴室排水装置。
【請求項３】
請求項１又は２において、前記導入流路とバイパス流路との分岐部に、浴槽排水量が所定値よりも多くなると、バイパス流路へ分流させる比率を増大させるバイパス水量制御手段が設けられていることを特徴とする浴室排水装置。
【請求項４】
請求項３において、前記バイパス流路は管状の前記導入流路の側面から分岐しており、
前記バイパス水量制御手段は、該バイパス流路の入口又は途中に設けられた堰状部よりなることを特徴とする浴室排水装置。
【請求項５】
請求項３において、前記バイパス水量制御手段は、浴槽排水の水量に応じて開度が変化してバイパス流路への水量を調節する弁よりなることを特徴とする浴室排水装置。
【発明の詳細な説明】
【技術分野】
【０００１】
本発明は、排水トラップを有する浴室排水装置に係り、特に排水トラップが浴槽排水を受け入れてトラップ内に旋回流を形成させるよう構成されたものである浴室排水装置に関する。
【背景技術】
【０００２】
洗い場排水を受け入れる洗い場排水受入口が上部に設けられていると共に、浴槽排水を側周面から受け入れてトラップ内に旋回流を形成させるようにした排水トラップが特許第３８８６０５５号に記載されている。このトラップの洗い場排水受入口には、上方が開放したカゴ（篭）状のヘアキャッチャーが着脱自在に装着されている。このヘアキャッチャーは、トラップ内の軸心部付近に垂下している。浴槽排水がトラップ内に流入し、トラップ内の水位が上昇して旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【特許文献１】特許第３８８６０５５号
【発明の開示】
【発明が解決しようとする課題】
【０００３】
上記旋回流形成方式の排水トラップを備えた浴室排水装置において、浴槽の水位が高い場合に浴槽の排水栓を開けると、浴槽から急激に大量の浴槽排水がこの排水トラップに流入し、洗い場へ溢れ出るおそれがある。旋回流形成方式の排水トラップの場合、旋回流（渦）には遠心力があり、水位が旋回室の壁沿いに上昇しやすく、通常の排水トラップより溢れやすい。
【０００４】
本発明は、旋回流形成方式の排水トラップから水が洗い場に溢れ出ることが確実に防止される浴室排水装置を提供することを目的とする。
【課題を解決するための手段】
【０００５】
請求項１の浴室排水装置は、洗い場排水の受入口を上部に有すると共に、浴槽排水を略接線方向に受け入れてトラップ内で旋回流を形成させる浴槽排水導入口を有する排水トラップを備えた浴室排水装置において、該排水トラップへの浴槽排水の導入流路と排水トラップからの排出流路とを、該排水トラップを迂回して連通するバイパス流路が設けられ、該バイパス流路に臭気逆流防止手段が設けられており、該導入流路は、浴槽の排水口と該排水トラップの該浴槽排水導入口とを連通するものであり、該バイパス流路の一端側は、該導入流路から分岐する分岐部となっており、該バイパス流路の他端側は、該排出流路に合流する合流部となっており、該合流部は、該分岐部よりも高い位置に配置されており、該バイパス流路のうち該合流部よりも該分岐部側に、該合流部側ほど高位となる立上り部が設けられており、これにより、該バイパス流路内に、浴槽排水が残留して封水となる第２の排水トラップが形成されており、該第２の排水トラップにより前記臭気逆流防止手段が構成されていることを特徴とするものである。
【０００７】
請求項２の浴室排水装置は、請求項１において、前記排水トラップに、前記浴槽排水導入口が、周方向に位置を異ならせて、複数個設けられていることを特徴とするものである。
【０００８】
請求項３の浴室排水装置は、請求項１又は２において、前記導入流路とバイパス流路との分岐部に、浴槽排水量が所定値よりも多くなると、バイパス流路へ分流させる比率を増大させるバイパス水量制御手段が設けられていることを特徴とするものである。
【０００９】
請求項４の浴室排水装置は、請求項３において、前記バイパス流路は管状の前記導入流路の側面から分岐しており、前記バイパス水量制御手段は、該バイパス流路の入口又は途中に設けられた堰状部よりなることを特徴とするものである。
【００１０】
請求項５の浴室排水装置は、請求項３において、前記バイパス水量制御手段は、浴槽排水の水量に応じて開度が変化してバイパス流路への水量を調節する弁よりなることを特徴とするものである。
【発明の効果】
【００１１】
本発明（請求項１）の浴室排水装置は、洗い場排水と浴槽排水とを受け入れる旋回流形成方式の排水トラップを備えた浴室排水装置において、この排水トラップを迂回するバイパス流路を設け、浴槽排水の一部を該排水トラップを迂回させて排水させることができるようにしたものである。
【００１２】
このバイパス流路を設けたことにより、排水トラップに浴槽排水が過剰に流入して洗い場へ溢れ出る事態が確実に防止される。また、浴槽からの排水流速を増大させ、浴槽からの排水所要時間を短縮することもできる。
【００１３】
なお、このバイパス流路に臭気逆流防止手段が設けられているので、排水管から浴槽側へ臭気が逆流することはない。
【００１４】
本発明では、この臭気逆流防止手段は、第２の排水トラップにより構成されている。
【００１５】
請求項２の通り、旋回流形成方式の排水トラップに対し、浴槽排水を、周方向の位置が異なる複数の排水口から導入することにより、形成される旋回流を強くする（即ち、旋回流速を増大させる）ことができる。
【００１６】
なお、浴槽からの排水量は、浴槽内の水位が高いほど多く、浴槽内の水位が低下するほど減少する。請求項３の浴室排水装置によると、浴槽水位が高いときなど浴槽排水量が多いときにはバイパス水量を多くして排水トラップからの溢れ出しを確実に防止することができる。また、浴槽水位低下などにより浴槽排水量が減少した場合でも、排水トラップに十分な量の浴槽排水を導入して強力な旋回流を形成することができる。
【００１７】
このバイパス水量制御手段としては、請求項４の堰状部が、構成が簡便で好適であるが、請求項５の浴槽排水量に応じて開度が変化する弁なども用いることができる。
【発明を実施するための最良の形態】
【００１８】
以下、本発明の実施の形態を図面に基づいて説明する。
【００１９】
第１図は、実施の形態に係る浴室排水装置を備えた浴室の概略斜視図であり、第２図は排水トラップ付近の斜視図、第３図は排水トラップ及び排水枡の縦断面図、第４図は第３図のIV−IV線断面図である。
【００２０】
第１図の通り、洗い場パン２の浴槽３側に排水枡６が一体形成されている。この排水枡６に対し下側から排水トラップ７が連結されている。
【００２１】
第２，３図にも示す通り、排水トラップ７の側面の流入口１９と浴槽３の底面の排水口３ａとが、導入流路としての配管９を介して接続されている。
【００２２】
また、排水トラップ７の上面部には、洗い場２側からの排水が排水枡６を通り流入する洗い場排水受入口Ａ（第２図）が設けられている。排水トラップ７の流入口１９とほぼ反対側の側面の流出口２０には、排出流路としての排水管１４が接続されている。
【００２３】
なお、この実施の形態では、排水トラップ７には、浴槽３の側壁に設けられている追焚循環口から漏れる水を受け止める追焚循環口受けトレー１３からの排水が配管２５及び流入口２３を介して流入する。また、入口ドア１０の下面のレールに垂設されているドア下排水受け１１に溜まった排水がドア下排水管１２及び流入口２２を介して流入するように構成されている。
【００２４】
上記のトレー排水は、流入口２３から案内部材２４を介して排水トラップ７内の下部に導かれる。
【００２５】
ただし、これらの流入口２２，２３は省略され、浴槽排水と洗い場排水のみを受け入れるよう構成してもよい。
【００２６】
第３図に示すように、排水枡６は洗い場パン２と一体状に凹み状に形成されており、その上面には排水目皿８が覆設されている。
【００２７】
排水枡６の底側にはフランジ部材１５がパッキン１６を介して取り付けられ、このフランジ部材１５にネジ込み方式により、排水トラップ７の上端が取り付けられている。フランジ部材１５を通して排水トラップ７内に上方から着脱可能にヘアキャッチャー１７が差し込まれている。このヘアキャッチャー１７は、上面が開いたカゴ（篭）状である。
【００２８】
この実施の形態では、ヘアキャッチャー１７は下方側へ向かって縮径する略逆円錐台形状を有する。ヘアキャッチャー１７は、その下端が排水トラップ７内の封水面Ｗよりも若干（例えば１０ｍｍ以下程度）上方に位置するようにフランジ部材１５に支持されている。なお、ヘアキャッチャー１７は、排水トラップ７内に形成される旋回流によって上方に押されても浮き上がらないようにフランジ部材１５に係止部（符号略）によって係止されている。
【００２９】
排水トラップ７の下部のうち前記浴槽排水の流入口１９と反対側は、側方へ膨出した膨出部７ｅとなっている。この膨出部７ｅと、ヘアキャッチャー１７の下側領域とは円弧状に湾曲した縦板状の遮蔽部材１８によって区画されている。これにより、ヘアキャッチャー１７を囲む部分及びその下方は、略円筒状の旋回流形成室７ｂとなっている。遮蔽部材１８の下端は、排水トラップ７の底面から若干（例えば５〜３０ｍｍ）上方に離隔しており、この遮蔽部材１８の下側のスペースを通り抜けて旋回流形成室７ｂから膨出部７ｅへ水が流出可能となっている。
【００３０】
なお、この実施の形態では、遮蔽部材１８が排水トラップ７の本体部分とは別体の板状体を取り付けた構成となっているが、遮蔽部材１８は排水トラップ７と一体に、排水トラップ７の天井側から垂設されるよう成形されてもよい。
【００３１】
上記流入口１９は、この旋回流形成室７ｂの底面からヘアキャッチャー１７の下端よりも高い位置まで縦方向に延びる縦長状に形成されている。なお、浴槽排水流入口１９は、旋回流形成室７ｂの内周面の接線方向を指向している。
【００３２】
この浴槽排水流入口１９は、排水トラップ７の外側へ突出しており、この突出した部分に前記配管９が接続されている。
【００３３】
排水トラップ７の前記膨出部７ｅの膨出方向の先端側に前記流出口２０が設けられている。膨出部７ｅ内の底面のうち、遮蔽部材１８と流出口２０との中間付近から封水壁２１が立設されており、この封水壁２１の上端が封水面Ｗとされている。
【００３４】
この実施の形態では、導入流路としての浴槽排水配管９と排出流路としての排水配管１４との間に、排水トラップを迂回して両者を連通するバイパス流路としてのバイパス配管２８が引き回されている。このバイパス配管２８は、配管９から分岐する略水平な分岐部２８ａと、該分岐部２８ａに連なる下り勾配部２８ｂと、この下り勾配部２８ｂに連なる略水平な低位部２８ｃと、該低位部２８ｃに連なる立上り部２８ｄと、該立上り部２８ｄに連なり、略水平に延在し、排出流路としての排水管１４に合流する合流部２８ｅとを有している。低位部２８ｃは排水トラップ７の底面よりも低いレベルに配置されている。なお、２８ｂ部分は必ずしも下り勾配である必要はない。また、低位部２８ｃは排水トラップ７の底面より低いレベルでなくてもよい。トラップは、Ｐ又はＵトラップに限定されず、どんな形であれ、バイパス経路内に規定水深（５０ｍｍ）以上の封水深が確保されれば良い。
【００３５】
このように構成された浴室排水装置の作動について次に説明する。
【００３６】
水を張った浴槽３の排水口３ａの排水栓を抜くと、浴槽３内の浴槽水の一部が排水パイプ９及び流入口１９から排水トラップ７の旋回室７ｂ内に流入し、旋回流を形成する。旋回室７ｂ内の水位は次第に上昇し、ヘアキャッチャー１７あるいはさらに排水枡６が旋回流に浸水した状態となる。これにより、排水枡６の内面やヘアキャッチャーに付着しているゴミや毛髪がこすり落とされて、ゴミや髪の毛は渦の中心に集められ、渦の中心から下方へ落下し、ヘアキャッチャー１７の下端の底面中央部に良好に集められる。
【００３７】
旋回室７ｂ内で旋回している水の一部は、遠心力の助勢を得て遮蔽部材１８の下側のスペースを通って膨出部７ｅ内に流入し、封水壁２１を乗り越え、排水管１４へ流出する。
【００３８】
一方、浴槽排水の一部は、配管９からバイパス配管２８を経て直接に排水管１４へ流出する。このため、排水トラップ７に流入する排水の流量が、バイパス配管２８を設けない場合に比べて減少するようになり、排水枡６から洗い場２へ溢れ出ることが防止される。
【００３９】
なお、この実施の形態では、第４図の通り、直管状の配管９から側方へ分岐するようにバイパス配管２８の分岐部２８ａが設けられているため、浴槽排水流速が小さくなってくると、バイパス配管２８へ流れ込む水量の割合が減少し、浴槽排水は主として配管９を直進して排水トラップ７へ流入するようになり、排水トラップ７に長時間にわたって強力な旋回流が形成される。
【００４０】
浴槽からすべての水が流出すると、旋回流は停止し、排水トラップ７内には封水壁２１の上端のレベルの封水が残る。また、バイパス配管２８にあっては、低位部２８ｃと、その近傍の下り勾配部２８ｂ及び立上り部２８ｄ内に水が残留し、封水となる。
【００４１】
これにより、排水管１４側と洗い場及び浴槽３側とはいずれも封水によって隔絶されることになり、排水管１４の臭気が洗い場や浴槽３へ逆流することが防止される。
【００４２】
［分岐水量調節機構］
本発明では、配管９からバイパス配管２８への分水量を制御するために、第５図又は第６図に示す分岐水量調節機構を採用してもよい。
【００４３】
第５図（ａ）〜（ｃ）の分岐水量調節機構は、配管９の側面に設けられた、分岐部２８ａに臨む開口の下縁から堰２８ｈをこの開口の途中まで立ち上げたものである。
【００４４】
なお、第５図（ａ）はこの配管９及び分岐部２８ｃの斜視図、第５図（ｂ）は第５図（ａ）のＢ−Ｂ線断面図、第５図（ｃ）は第５図（ｂ）のＣ−Ｃ線断面斜視図である。
【００４５】
この堰２８ｈを設けたことにより、浴槽からの排水量が少なく、配管９内の水位が堰２８ｈの高さよりも低いときには、浴槽排水は排水トラップ７に向ってのみ流れる。一方、浴槽排水量が多く、配管９内の水位が堰２８ｈの高さよりも高いときには、浴槽排水の一部が堰２８ｈを乗り越えてバイパス配管２８へ流れる。
【００４６】
第６図では、このバイパス配管２８の入口に分岐水量調節機構として弁２９を設けている。この弁２９は、板状であり、排水トラップ７側の側辺部がヒンジ２９によって配管９とバイパス配管２８との結合部の角部に回動自在に取り付けられている。弁２９の浴槽側の側辺と、配管９とバイパス配管２８との結合部の角部との間に引張コイルバネ２９ａが架設されている。
【００４７】
浴槽排水量が少ないときには、第６図（ａ）の通り、弁２９は閉じるか又は小開度となっており、浴槽排水はすべて又は大部分、排水トラップ７へ流入する。浴槽排水量が多くなってくると、水勢に押された弁２９が、コイルバネ２９ａを引き伸ばすようにして開弁し、浴槽排水の一部がバイパス配管２８へ分流する。浴槽排水の流量が多くなるほど、弁２８の開度が大きくなり、分流量が多くなると共に、浴槽排水のうちバイパス配管２８へ分岐される分流量の割合が増加する。なお、バネ２９ａの長さは、浴槽排水量がいかに多くなっても、弁２９の先端第６図（ｂ）のように配管９の軸心付近で停止するものとなっている。
【００４８】
本発明では、排水トラップは、浴槽排水を周方向に配置位置を異ならせた２個以上の流入口からそれぞれ略接線方向に流入させることにより、排水流入量を多くしたり、旋回流速を大きくしたりするように構成してもよい。
【００４９】
［２個の流入口を有する排水トラップの構成例］
第７図は、流入口を２個設けた排水トラップの一例を示す平面図、第８図は第７図のVIII−VIII線に沿う断面斜視図である。
【００５０】
この排水トラップ３０は、導入口４０から浴槽排水が環状水路４１に導入され、２個の流入口４２，４３から旋回室５０内へ略接線方向に流出して旋回し、その後、封水室６０を経て排出口７０から排出されるよう構成されている。
【００５１】
旋回室５０は、筒軸方向を上下方向とした円筒状の室壁５１と、この室壁５１の下部の内周に沿って周回する内壁５２と、室壁５１の下端から縮径方向に張り出す環形の底面部５３と、この底面部５４の内周縁から下方に突設された封水筒部５４とを有している。内壁５２の下端は底面部５３に連続している。
【００５２】
環状水路４１は、この室壁５１、内壁５２及び底面部５３によって囲まれており、室壁５１を周回している。
【００５３】
各流入口４２，４３は、内壁５２をくり抜いた構成のものである。各流入口４２，４３は、旋回室５０の周方向に延在している。
【００５４】
導入口４０は、環状水路４１に対し接線方向に連なる短管状となっている。
【００５５】
封水筒部５４は室壁５１と同軸状である。この封水筒部５４の一部は、封水室６０の周壁６１と共通のものとなっている。
【００５６】
封水筒部５４の下端と封水室６０の底面６２との間には、水を流出させるスペースがあいている。
【００５７】
封水室６０の底面６２の一部は、封水筒部５４から遠ざかるほど高位となる傾斜面６２ａとなっており、その傾斜面６２ａの末端から立壁部６４が立設されている。この立壁部６４に短管状の排出口７０が連なっている。排出口７０の内面のうち最下位部分は旋回室５０の底面部５３よりも高位に位置している。
【００５８】
なお、旋回室５０の上縁から外方に広がる鍔状のフランジ５６が設けられている。
【００５９】
この排水トラップ３０は、第１図〜第４図の実施の形態と同様に、このフランジ５６を利用して排水枡に対し下側から取り付けられる。そして、導入口４０に浴槽排水導入用の配管９（第７，８図では図示略）が接続され、排出口７０に排水管１４（同）が接続される。また、排水トラップ３０の上方からヘアキャッチャーが旋回室５０内に差し込まれるようにして装着される。
【００６０】
この排水トラップ３０を用いた浴室排水装置においても、配管９と排水管１４とが排水トラップ３０を迂回するバイパス配管が接続される。
【００６１】
この排水トラップ３０に対し浴槽排水が導入口４０を介して流入すると、この水は、環状水路４１、流入口４２，４３から旋回室５０内に流入し、渦状の旋回流を形成する。この旋回流の水位が上昇することにより、ヘアキャッチャーさらには排水枡内が旋回流に浸水した状態となり、ゴミがヘアキャッチャーの中心部に集められると共に、ヘアキャッチャーや排水枡の水流による洗浄が行なわれる。
【００６２】
２個の流入口４２，４３から旋回室５０へ水が流入するため、流量が多く、また旋回流速も大きなものとなる。この結果、ゴミが効率よくヘアキャッチャーの中心部に集められると共に、ヘアキャッチャー等の洗浄も強力なものとなる。
【００６３】
渦状旋回流を形成している水は、封水筒５４から封水室６０、排出口７０を経て排水管へ流出する。
【００６４】
なお、浴槽排水量が多いときには、浴槽排水の一部がバイパス配管を介して排水管へ流出する。
【００６５】
浴槽からの排水が停止すると、旋回室５０内の下部及び封水室６０内に封水が残留する。
【００６６】
上記実施の形態は本発明の一例であり、本発明は図示以外の態様をもとりうる。
【００６７】
例えば、バイパス配管２８は、いわゆるＵトラップ型の封水構造となっているが、その他の各種の封水構造を臭気逆流防止手段として採用することができる。
【図面の簡単な説明】
【００６８】
【図１】実施の形態に係る浴室排水装置を備えた浴室の斜視図である。
【図２】実施の形態に係る浴室排水装置の斜視図である。
【図３】実施の形態に係る浴室排水装置の断面図である。
【図４】図３のIV−IV線断面図である。
【図５】バイパス水量の調節機構の説明図である。
【図６】別のバイパス水量の調節機構の説明図である。
【図７】排水トラップの別例を示す平面図である。
【図８】図７のVIII−VIII線に沿う断面斜視図である。
【符号の説明】
【００６９】
３  浴槽
７，３０  排水トラップ
７ｂ，５０  旋回室
１４  排水管
１７  ヘアキャッチャー
１９，４０  導入口
２０，７０  流出口
２８  バイパス配管
２８ｈ  堰
２９  弁
２９ａ  バネ
【図１】
0005245364.tif 000002
【図２】
0005245364.tif 000003
【図３】
0005245364.tif 000004
【図４】
0005245364.tif 000005
【図５】
0005245364.tif 000006
【図６】
0005245364.tif 000007
【図７】
0005245364.tif 000008
【図８】
0005245364.tif 000009